(57)【要約】 【課題】  雑菌などの繁殖や飛散の発生しない衛生的な冷蔵庫を得ることを目的とする。また、雑菌などの繁殖や飛散の発生しない衛生的な卵収納ケースを得ることを目的とする。また、寿命低下が少なく衛生的な卵ケースを備えた冷蔵庫を得ることを目的とする。【解決手段】  冷蔵室内に設けられ、卵あるいは卵パックが収納可能な略密閉構造をなすように構成された引出し式の小物ケースを備え、小物ケースは、少なくとも手を掛ける取っ手部に抗菌手段が設けられているものである。【選択図】  図３
2006046844.tif 000002
【特許請求の範囲】
【請求項１】
冷蔵室内に設けられ、卵あるいは卵パックが収納可能な略密閉構造をなすように構成された引出し式の小物ケースを備え、前記小物ケースは、少なくとも手を掛ける取っ手部に抗菌手段が設けられていることを特徴とする冷蔵庫。
【請求項２】
取っ手部に光触媒がコーティングされた小物ケースと、前記小物ケースを収納する区画を形成する仕切部材のうち、前記小物ケースの下部、あるいは側部の仕切部材に設けられ、前記取っ手部に光を照射する光照射手段と、を備え、前記抗菌手段が前記光触媒と前記光照射手段より構成され、前記光照射手段により前記光触媒を照射するようにしたことを特徴とする請求項１に記載の冷蔵庫。
【請求項３】
上面が開口し少なくとも一部が光透過材で構成され、内部に光触媒がコーティングされた小物ケースと、前記小物ケースを収納する区画を形成する仕切部材のうち、前記小物ケースの後部あるいは側部の仕切部材、あるいは前記小物ケースの上面開口部を覆うように設けられた覆い部材に設けられた光照射手段と、を備え、前記抗菌手段が前記光触媒と前記光照射手段より構成され、前記光照射手段により前記小物ケースの内部を照射するようにしたことを特徴とする請求項１または請求項２に記載の冷蔵庫。
【請求項４】
前記光照射手段を冷蔵室扉が開放状態のときにも点灯するようにしたことを特徴とする請求項２または請求項３に記載の冷蔵庫。
【請求項５】
前記抗菌手段が、前記小物ケースに添加された銀係抗菌剤であることを特徴とする請求項１乃至請求項４のいずれかに記載の冷蔵庫。
【請求項６】
複数の冷蔵庫のうち、冷蔵室が上部に配置された冷蔵庫において、前記冷蔵室内の下部に設けられ、前記冷蔵室の温度帯と同等以下の温度帯に前記冷蔵室とは独立して温度制御される独立温度制御室を備え、前記小物ケースを前記冷蔵室内で前記独立温度制御室の側面に仕切部材を介して設けられた空間に前後方向にスライド可能に収納するようにしたことを特徴とする請求項１乃至請求項５のいずれかに記載の冷蔵庫。
【請求項７】
前記小物ケースを冷却した冷気を冷却器室に戻す専用の戻り風路を設け、前記戻り風路に抗菌手段を設けたことを特徴とする請求項１乃至請求項６のいずれかに記載の冷蔵庫。
【発明の詳細な説明】
【技術分野】
【０００１】
本発明は、冷蔵室が上部に配置された冷蔵庫（以下ワークトップ型冷蔵庫）に関するものである。 
【背景技術】
【０００２】
従来の冷蔵庫における卵の収納位置は冷蔵室扉ポケットの内のひとつに設けられた卵ケースであり、その高さは１５０ｃｍ程度である。また、扉ポケットには蓋等がなく冷蔵庫内にて開放されている。 
【０００３】
また、別の従来の冷蔵庫では、冷蔵室内に複数の棚が設けられ、そのうちの最下部の棚である冷蔵室棚下と冷蔵室の底面の断熱壁との間に−３℃〜＋３℃の温度範囲内に冷蔵室内の温度とは独立して温度が制御される独立温度制御室であるスライド室が配置されている。スライド室の下部には前後にスライドするスライド室ケースが設けられ、このスライド室ケースの前面上部には蓋が設けられている。小物ケース下、小物ケース上はスライド室の側面に仕切り板を介してそれぞれ前後にスライド可能に設けられている。小物ケース下内に設けられた卵ケースは、仕切り板にて仕切られたスライド室の横に配置されている。（たとえば特許文献１参照。）
【０００４】
また、別の従来の冷蔵庫は、扉に設けられた卵収納スペースに紫外線ランプによる紫外線を照射し卵に付着した雑菌を殺菌するという冷蔵庫を紹介している。（例えば特許文献２参照。）また、別の従来の冷蔵庫は、温度切替室内にて除菌作用を設けるために温度切替室内の内壁に光触媒をコーティングし、その内壁に紫外線をあてることによる温度切替室内の除菌を行う冷蔵庫を紹介している。（たとえば特許文献３参照。）
【０００５】
【特許文献１】特開２００３−３２９３６２号公報
【特許文献２】特開２００２−９８４７５号公報
【特許文献３】特開２００３−２８７３５７号公報
【発明の開示】
【発明が解決しようとする課題】
【０００６】
しかしながら、従来の冷蔵庫では、卵ケースの取り付け位置は、冷蔵室扉に設けられているため、扉の開閉による温度上昇の影響を即座に受け、卵の表面についた雑菌の繁殖の可能性が高くなってしまう。また、扉ポケットは冷蔵庫内において開放状態にあるため、卵表面に付着した雑菌（雑菌の一種としてはサルモネラ菌がある。）などを冷蔵室１内に飛散させ、他の食品類にも雑菌を付着させる可能性があった。その対策として扉ポケットに抗菌剤を練りこむなどの抗菌手段を設けたとしても、卵などの表面に付着した大部分の雑菌が扉ポケットに触れていない部分より庫内に飛散してしまうので抗菌手段が有効に活用できなかった。
【０００７】
また、特許文献２のように殺菌作用のある紫外線を扉ポケットなどに照射する構造では紫外線の作用により扉ポケットの寿命が大幅に短縮されてしまう。すなわち、紫外線ランプのように殺菌作用のある紫外線はプラスチックをアタックするため寿命が低下してしまうため、それを防ぐのにステンレス等の内壁を設ける必要が発生しコスト的に高くなるものであると同時にステンレスは不透明であるためユーザーが扉を開けてもすぐに卵があるかどうかわからないという問題があった。
【０００８】
また、特許文献３に示されている従来の冷蔵庫は、温度切替室内にて除菌作用を設けるために温度切替室内の内壁に光触媒をコーティングし、その内壁に紫外線をあてることによる温度切替室内の除菌を行うようにしているが、温度切替室内に卵を収納する構造にはなっておらず、卵の除菌については考慮しておらず、卵に付着した雑菌を除菌することができなかった。また、特許文献１に示す従来の冷蔵庫では、小物ケース下及び小物ケース上に抗菌手段が設けられてないため卵表面に付着した雑菌が繁殖する可能性があり、小物ケース下や小物ケース上をスライドさせて開放するたびに雑菌が飛散する可能性があった。したがって従来の冷蔵庫においては特に卵周辺の衛生性を保つことができなかった。
【０００９】
また、従来の冷蔵庫では、卵収納に使用する卵ケース（卵を収納するケースであり、小物ケースなども含む）において、ユーザーが手を触れる取っ手部分に雑菌が付着した場合は人体へと雑菌が移動してしまい、ひいては人体に対し影響が及ぶ可能性があった。
【００１０】
本発明の目的は、雑菌などの繁殖や飛散の発生しない衛生的な冷蔵庫を得ることを目的とする。また、雑菌などの繁殖や飛散の発生しない衛生的な卵収納ケースを得ることを目的とする。また、寿命低下が少なく衛生的な卵ケースを備えた冷蔵庫を得ることを目的とする。
【課題を解決するための手段】
【００１１】
本発明は、上記のような問題点を解決するためになされたもので、冷蔵室内に設けられ、卵あるいは卵パックが収納可能な略密閉構造をなすように構成された引出し式の小物ケースを備え、前小物ケースは、少なくとも手を掛ける取っ手部に抗菌手段が設けられているものである。
【発明の効果】
【００１２】
本発明に係る冷蔵庫によれば、小物ケースに収納された卵や食品に付着していた雑菌や冷蔵庫内の雑菌の繁殖を抑制することができる。
【発明を実施するための最良の形態】
【００１３】
実施の形態１．
図１は、本発明の実施の形態１を示す冷蔵庫の正面図、図２は、本発明の実施の形態１を示す冷蔵庫の要部斜視図である。図において、本実施の冷蔵庫は、冷蔵庫本体１００の上部に配置され、床面の高さが約１００ｃｍである冷蔵室１、冷蔵室１の下部に設けられた引き出し扉を有する製氷室２、冷蔵室１の下部で製氷室２の横に設けられ、設定温度を切り替え可能な切替室３、冷蔵室１の下部に並列に設けられた製氷室２と切替室３の下部に設けられた野菜室４、野菜室４の下部で、冷蔵庫本体１００の最下部に設けられた冷凍室５により構成されている。 
【００１４】
冷蔵室１内には冷蔵室温度検出手段である冷蔵室温度センサー１７が設けられ、この冷蔵室温度センサー１７により冷蔵室１内の温度を検出し、この検出された温度に基づいて冷蔵室ダンパー１９の開閉を制御することによって、冷蔵室吹き出し口１６から冷蔵室１内に吹き出される冷気量が調整され冷蔵室１内の温度が設定温度範囲内になるように温度が制御される。冷蔵室１内には、棚１１が設けられ、そのうちの最下部の棚である冷蔵室棚下１２と冷蔵室１の底面の仕切り壁（断熱壁）３０との間に−３℃〜＋３℃の温度範囲内に冷蔵室１内の温度とは独立して温度が制御される独立温度制御室であるスライド室４４が配置されている。スライド室４４の下部には前後にスライドするスライド室ケース１４が設けられ、このスライド室ケース１４の前面上部には上面開口部を覆う覆い部である蓋１３が設けられている。 
【００１５】
スライド室４４はスライド室ケース１４の上部を光透過性の蓋１３によって前面まで覆われる構造であり、略密閉構造となっており、スライド室温度検出手段であるスライド室温度センサー１８が設けられ、スライド室温度センサー１８により検出された温度の基づいてスライド室ダンパー２０が開度制御されてスライド室吹き出し口１５より吹き出される冷気量が調整され、スライド室４４内の温度が設定温度に制御される。 
【００１６】
小物ケース下２３、小物ケース上２４はスライド室４４の側面に仕切り板中２７を介してそれぞれ前後にスライド可能に設けられている。小物ケース下２３内に設けられた卵ケース８は、断熱材を有する仕切り板中２７にて仕切られたスライド室４４の横に位置し、冷蔵室温度センサー１７によって検出された温度に基づいて冷蔵室ダンパー１９の開閉を制御して冷蔵室吹き出し口１６より吹き出される冷気量が調整されて小物ケース上２４、小物ケース２３内の温度が制御されるので、スライド室４４内の温度の影響は受けない構造となっている。 
【００１７】
本実施の形態においては、小物ケース上２４の上端の高さは、スライド室ケース１４の上端の高さに対して同等以下であり、また、本実施の形態では、小物ケース下２３、小物ケース上２４内には、直接冷気を吹き出す冷気吹き出し口を設けておらず、間接冷却としているが、個別の冷気吹き出し口を設けて木目細かく温度制御を行ってもよい。小物ケース下２３、小物ケース上２４は、仕切り板左２６及び仕切り板中２７にそれぞれ設けられたレール上を前後にスライド可能に設けられている。 
【００１８】
同様に、スライド室ケース１４も、仕切り板中２７及び仕切り板右４０に設けられたレール上を前後にスライド可能に設けられている。また、小物ケース２３、２４およびスライド室ケース１４は、冷蔵室扉６を閉めた場合に冷蔵室扉６の下部に設けられたボトルポケット９のフランジ前部９ａにより押し込まれる構造になっており、小物ケース２３、２４およびスライド室ケース１４の閉め忘れを防止する構造となっている。 
【００１９】
小物ケース下２３内には卵ケース８が設置されており、小物ケース下２３内に卵を収納することが可能となっている。また、卵ケース８は取り外しが可能であり、収納食品の量に応じてユーザーが任意にその配置及び有無を変更することができるようになっている。本実施の形態においては、卵ケース８は小物ケース下２３にのみ配置しているが、卵ケース８は小物ケース上２４にも設置できるようにしており、ユーザーが、収納する食品の量などにより適宜配置する小物ケースを選択できるようにしている。また、小物ケース２３、２４の大きさは、卵ケース８を取除いた状態で卵パックがそのまま収納できる大きさとしてあり、卵を卵パックから取出して卵ケース８に移し替えるのがめんどうなユーザーが卵パックをそのまま収納できるようにしている。また、卵ケース８を設置する必要がない場合は、卵ケース８を配置せずに、小物食品類を収納することができる。 
【００２０】
現在市場にて主に販売されている卵パック（１０個入り）は縦２５０ｍｍ×横１０５ｍｍ×高さ７０ｍｍ程度であり、小物ケース２３、２４は卵をパックのまま収納可能な大きさ（縦２５０ｍｍ×横１０５ｍｍ×高さ７０ｍｍよりもそれぞれを大きくしている。）にしている。ここで、卵の大きさは販売店や販売地区により多種多様であるため、卵ケース８の大きさ、および小物ケース２３、２４の大きさは本実施の形態に限ったものではなく、卵パックおよび卵が収納できる大きさであればどのような形状、大きさであっても問題ない。 
【００２１】
また、本実施の形態では、図１に示す形態の冷蔵庫のみならず、断熱壁にて区画された独立扉を有する、冷蔵室、野菜室、冷凍室等を備え、冷蔵室が最上部に配置された冷蔵庫全般に適用することが可能である。 
【００２２】
本実施の形態では、小物ケース２３、２４をスライド室ケース１４の側面で、かつ冷蔵室１の下部に設けているので、小物ケース２３、２４に卵を収納した場合でも冷蔵室扉６の開閉による振動で卵が損傷することがない。また、小物ケース２３、２４を冷蔵室１の下部の取出しやすい高さ位置に引き出し式にて設けたので、背の低いユーザーでも背伸びする必要がなく卵を取出しやすい。また、小物ケースを引き出し式の略密閉構造にしているので、冷蔵室扉６を開放した状態でも、外気温度の影響を受けにくく、卵の鮮度を保持できる。 
【００２３】
ここで、本実施の形態では、小物ケース下２３及び小物ケース上２４の材料は透明ポリスチレンを用いている。小物ケース２３、２４内の食品を引き出さないと確認できないという不都合があるため透明であることが好ましいが、小物ケース２３、２４内の食品を引き出さないと確認できない不便さはあるが不透明であっても良い。もちろんポリスチレン以外にも透明ＡＢＳやポリカーボネイト、メタクリルでもよいがコストの観点から考慮すると低コストであるポリスチレンが好ましい。
【００２４】
本実施の形態では、小物ケース下２３及び小物ケース上２４には抗菌剤が添加されている。抗菌剤は卵に付着しているサルモネラ菌に有効な例えば銀系抗菌剤である。また、本実施の形態では、小物ケース下２３及び小物ケース上２４には、ユーザーが直接触れる部分である取っ手部にも抗菌剤が練り込まれており、ユーザーの指などに付着した雑菌が冷蔵庫内や小物ケース２３、２４内に侵入するのを抑制できる。したがって、小物ケース下２３や小物ケース上２４内に収納された卵の表面にサルモネラ菌などの雑菌が付着していたとしても抗菌剤による抗菌効果が働くため雑菌の繁殖を抑制することができ衛生的な冷蔵庫が得られる。また、小物ケース２３、２４は、略密閉構造のため、小物ケース２３、２４内に侵入したサルモネラ菌などの雑菌が、小物ケース外に飛び出しにくく、冷蔵室内の食品に卵に付着していた雑菌が付着するのを抑制できる。
【００２５】
以上のように、本実施の形態では、冷蔵室内に設けられ、卵あるいは卵パックが収納可能な略密閉構造をなすように構成された引出し式の小物ケースを備え、小物ケースは、少なくとも手を掛ける取っ手部に抗菌手段が設けられているので、ユーザーの指などに付着した雑菌が冷蔵庫内や小物ケース２３、２４内に侵入するのを抑制できる。また、抗菌手段が、前記小物ケースに添加された銀係抗菌剤であり、卵に付着しているサルモネラ菌に有効な銀系抗菌剤であるため、卵を収納する小物ケースの抗菌に特に有効である。
【００２６】
図３、図４は本発明の実施の形態１を表す冷蔵庫の小物ケース部分の側断面図、図５、図６、図７は本発明の実施の形態１を表す冷蔵庫の小物ケース部分の上面図である。図において、図１〜図２と同等部分は同一の符号を付して説明は省略する。図において、１２は冷蔵室棚下、１４はスライド室ケース、２３、２４は小物ケースであり、２３は小物ケース下、２４は小物ケース上である。２５はスライド室ケース２３、２４の前面部に設けられ、上方に突出したリブ、２５ｂはスライド室ケース２３、２４の前面に設けられた取っ手である。また、８は卵ケース、２６は仕切り板左、２７は仕切り板中である。 
【００２７】
小物ケース２３、２４はケース前部にリブ２５を有し、このリブ２５は取っ手２５ｂ部よりも上方向及び横方向に突出しており、小物ケース２３、２４の収納時にこのリブ２５が仕切り板中２７、仕切り板左２６あるいは冷蔵室棚下１２に略当接することにより、蓋１３を設けない構造でケース内部を略密閉構造としている。すなわち、小物ケース上２３は、上面開口部を覆うように設けられている覆い部である冷蔵室棚下１２により略密閉構造を構成している。図３においては、小物ケース下２３の取っ手部分の下方近傍には光照射手段５０であるたとえば発光ダイオードが取っ手部部分を照射可能な位置（たとえば仕切部材３０など）に設けられており、この発光ダイオード５０からは、殺菌作用が小さく体に悪影響のない波長３８０ナノメートル近傍の紫外線や波長３８０ナノメートル以上の光が照射される。
【００２８】
本実施の形態では、小物ケース下２３、小物ケース上２４、冷蔵室棚１２などのうち少なくとも１つは光透過材にて構成され、光照射手段５０よりの光を透過する。また、小物ケース下２３、小物ケース上２４の表面には光触媒の一種である酸化チタンがコーティングされている。酸化チタンは、少なくとも取っ手部２５ｂを含む小物ケース下２３及び小物ケース上２４の全体にコーティングされている。コーティングされる場所は取っ手２５ｂ部分を含む一部分だけでもよく、ユーザーの手などからの雑菌が小物ケース２３、２４への付着するのを抑制したり、雑菌が庫内へ侵入するのを抑制する効果を発揮するので構わないが、小物ケース２３、２４のような箱形状には内側のみコーティングしてもよい。ただし、内側のみコーティングするのは製造技術上難しいので、全体をコーティングした方が安価に製造できる。
【００２９】
光触媒は特定の波長を有する光を照射されると励起状態となり表面に強い酸化力を持つ。酸化チタンの場合、約３８０ｎｍの波長を有する紫外線を照射されることにより励起状態になり表面に強い酸化力を持つ。この酸化力により、水や酸素からラジカルが発生し、このラジカルが菌などを含む有機物を酸化還元反応で分解することで脱臭及び抗菌作用を発揮するので、小物ケース下２３や小物ケース上２４内のサルモネラ菌などの卵に多く生息する雑菌に対し除菌作用を発揮する。したがって、小物ケース下２３や小物ケース上２４内全面に光照射するようにすれば、卵などに付着した雑菌は略密閉空間である小物ケース下２３や小物ケース上２４内の空中を浮遊したのち、ブラウン運動の作用により小物ケース下２３や小物ケース上２４の内面に付着するため、大部分の雑菌に対し抗菌作用が発揮される。また、光触媒の寿命は半永久的であるため、破損のない限り小物ケース下２３や小物ケース上２４のメンテナンスは不要である。
【００３０】
光照射手段である発光ダイオード５０の配置位置は、本実施の形態では、少なくとも取っ手部分に直接照射することができるようにしており、ユーザーが直接接触して雑菌などが小物ケース２３、２４の取っ手２５ｂ部分に付着しても、除菌できるようにしている。また、光照射手段である発光ダイオード５０の配置位置は、小物ケース２３、２４に直接照射できる位置であればどこでもよい。また、光照射手段５０の照射する光の波長が３８０ｎｍ菌防であり、殺菌効果を有する紫外線（波長約２７０ｎｍ）ではないため、小物ケース２３、２４がアタックされてもろくなるなどの弊害が出ることがなく、小物ケース２３、２４の寿命が低下することがない。
【００３１】
発光ダイオード５０から照射される３８０ｎｍ近傍の紫外線が小物ケース下２３や小物ケース上２４に照射されると、前述した酸化還元反応により小物ケース下２３や小物ケース上２４内に収納された卵や食品に付着した雑菌を分解することができ、小物ケース下２３や小物ケース上２４内を衛生的な状態に保つことができる。 
【００３２】
図４、図５は、小物ケース上２４の後方の仕切り壁などには発光ダイオード５０が設けられている例である。発光ダイオード５０から発生する波長３８０ナノメートル近傍を含む紫外光は光透過材で構成された小物ケース２４内を照射することができるように構成されており、小物ケース２４内を除菌することができる。ここで、発光ダイオード５０の配設位置は小物ケース下２３の後方でもよく、近傍にあって小物ケース下２３や小物ケース上２４に対し照射できる向きに配設されていればよい。特に小物ケース２３および小物ケース２４の両方を照射できる位置が好ましい。
【００３３】
図６においては、発光ダイオード５０は図３、図４と異なり小物ケース下２３や小物ケース上２４の側部近傍に配設されている。光照射手段である発光ダイオード５０は小物ケース２３下や小物ケース上２４の前面に設けられている取っ手部分の近傍に設けられているため、小物ケース２３、２４の内部だけでなく、取っ手部分にも抗菌、除菌作用が発揮される。したがってユーザが小物ケース下２３や小物ケース上２４の出し入れ時に触れる取っ手部２５ｂ部分を触っても小物ケース下２３や小物ケース上２４内に収納された卵の表面に付着していた雑菌がユーザの手に移って人体へ悪影響を及ぼすのを抑制できる。
【００３４】
本実施の形態では、取っ手部２５ｂに光触媒がコーティングされた小物ケース２３、２４と、小物ケース２３、２４を収納する区画を形成する仕切部材２６、２７、３０、１２のうち、小物ケース２３、２４の下部、あるいは側部の仕切部材に設けられ、取っ手部２５ｂに光を照射する光照射手段５０と、を備え、抗菌手段が光触媒と光照射手段５０より構成され、光照射手段５０により光触媒がコーティングされた取っ手部２５ｂを照射するようにしているので、小物ケース２３、２４の内部だけでなく、取っ手部分にも抗菌、除菌作用が発揮される。したがってユーザが小物ケース下２３や小物ケース上２４の出し入れ時に触れる取っ手部２５ｂ部分を触っても小物ケース下２３や小物ケース上２４内に収納された卵の表面に付着していた雑菌がユーザの手に移って人体へ悪影響を及ぼすのを抑制できる。また、光照射手段５０に光半導体を使用するようにしており、光半導体は紫外線ランプのように大きくないので、冷蔵庫内のどこにでも設置ができ、設置の自由度が大きくなるとともに、庫内容積や小物ケースなどの貯蔵室の容積を大きくすることができる。
【００３５】
また、上面が開口し少なくとも一部が光透過材で構成され、内部に光触媒がコーティングされた小物ケース２５ｂと、小物ケース２５ｂを収納する区画を形成する仕切部材２６、２７、３０、１２のうち、小物ケースの後部あるいは側部の仕切部材、あるいは小物ケースの上面開口部を覆うように設けられた覆い部１２に設けられた光照射手段５０と、を備え、抗菌手段が光触媒と光照射手段５０より構成され、光照射手段５０により小物ケース２３、２４の内部を照射するようにしているので、取っ手部２５ｂだけでなく、小物ケース２３、２４内部も除菌でき、衛生的な冷蔵庫を提供できる。
【００３６】
また、本実施の形態では、殺菌作用が小さく人体に悪影響をおよぼさない３８０ｎｍ程度の紫外線を照射する光照射手段５０を使用し、冷蔵室扉が開放状態のときにも点灯するようにしたので、冷蔵室扉が開放状態のときには、小物ケース内を光照射でき、冷蔵室内や小物ケース内の食品がひとめで認識でき、小物ケースをわざわざ引出す手間が不要となる。また、小物ケース２３の上面開口部を覆う覆い部１２を光透過材で構成するようにすれば、冷蔵室扉が開放状態のときには、冷蔵室内も照らすことが可能となり、冷蔵室内の庫内灯が不要になり、低コストの冷蔵庫が得られる。
【００３７】
図７は、除菌・脱臭手段である活性炭フィルタ５１が小物ケース下２３及び小物ケース上２４の一方または両方に配設されている例である。活性炭フィルタ５１には銀が胆持されており、活性炭が雑菌などを内部に捉え、銀が抗菌作用を発揮するので小物ケース下２３内や小物ケース上２４内に収納された卵や食品の表面に付着したサルモネラ菌などの雑菌の繁殖を抑制することができ小物ケース下２３及び小物ケース上２４内を衛生的な状態に保つことができる。ここで、活性炭フィルタ５１は小物ケース２３、２４のどこに配置しても小物ケース２３、２４内に収納された卵や食品の表面に付着したサルモネラ菌などの雑菌の繁殖を抑制することができるので効果は同じである。
【００３８】
図８は、本発明の実施の形態１を表す別の冷蔵庫の小物ケースの風路構成を説明するための側断面図である。図において図１〜図７と同等部分は同一の符号を付して説明を省略する。図において、小物ケース下２３及び小物ケース上２４の後方に配設された風路５２内には活性炭フィルタ５１Ｂなどの除菌・脱臭手段が設けられている。風路５２内から吹き出された流体は小物ケース下２３や小物ケース上２４に設けられた冷気取り込み口２５ｆより小物ケース下２３や小物ケース上２４内に取り込まれて内部をを通過し、冷気吹出し口２５ｇより冷気戻り風路（図示せず）を通って、再び風路５２へと循環しており、冷気は風路５２により閉回路を構成しており、他の風路とは独立している。
【００３９】
小物ケース２３、２４の冷気吹出し口２５ｇより吹き出された冷気によって雑菌は戻り風路を通過し再び風路５２内を循環するので、風路５２内に設けられた活性炭などの除菌・脱臭手段５１Ｂを通過するときに吸着され分解される。ここで、本実施の形態では、小物ケース下２３や小物ケース上２４周辺の冷気の一部または全体が風路５２を通過する構造となっている。冷気の全体が通過する場合は風路５２は他の部屋に通じる風路とは独立に設けられた風路構成とすればよい。小物ケース下２３や小物ケース上２４周辺の冷気中には小物ケース下２３内や小物ケース上２４内に収納された卵や食品の表面に付着したサルモネラ菌などの雑菌などが浮遊している。この雑菌を含んだ冷気が風路５２を通過して脱臭・除菌手段５１Ｂを通過することよって冷気中に含まれた雑菌は除菌・脱臭手段５１Ｂにて除去される。したがって小物ケース下２３及び小物ケース上２４内は、においもしないし、雑菌も除去されるので、衛生的でいやなにおいのしない冷蔵庫が得られる。
【００４０】
以上のように、本実施の形態では、小物ケースを冷却した冷気を冷却器室に戻す専用の戻り風路を設け、戻り風路に活性炭などの脱臭・除菌手段５１Ｂを設けているので、冷気中に含まれた雑菌やにおいが除去され、小物ケース下２３及び小物ケース上２４内は、においもしないし、雑菌も除去されるので、衛生的でいやなにおいのしない冷蔵庫が得られる。
【図面の簡単な説明】
【００４１】
【図１】本発明の実施の形態１を示す冷蔵庫の正面図である。
【図２】本発明の実施の形態１を示す冷蔵庫の要部斜視図である。
【図３】本発明の実施の形態１を表す冷蔵庫の小物ケース部分の側断面図である。
【図４】本発明の実施の形態１を表す冷蔵庫の小物ケース部分の側断面図である。
【図５】本発明の実施の形態１を表す冷蔵庫の小物ケース部分の上面図である。
【図６】本発明の実施の形態１を表す冷蔵庫の小物ケース部分の上面図である。
【図７】本発明の実施の形態１を表す冷蔵庫の小物ケース部分の上面図である。
【図８】本発明の実施の形態１を表す別の冷蔵庫の小物ケースの風路構成を説明するための側断面図である。
【符号の説明】
【００４２】
１  冷蔵室、２  製氷室、３  切替室、４  野菜室、５  冷凍室、６  冷蔵室扉、７  冷蔵室扉ポケット、８  卵ケース、９  ボトルポケット、１０  冷蔵室背面板、１１  棚、１２  冷蔵室棚下、 １３  蓋、１４  スライド室ケース、 １５  スライド室吹き出し口、１６  冷蔵室吹き出し口、１７  冷蔵室温度センサー、１８  スライド室温度センサー、１９  冷蔵室ダンパー、２０  スライド室ダンパー、２３  小物ケース下、２４  小物ケース上、２５  リブ、２５ｂ  取っ手、２５ｆ  冷気取り込み口、２５ｇ  冷気吹出し口、２６  仕切り板左、２７  仕切り板中、 ２８ 小物ケース温度センサー、３０  仕切り壁、３１  小物ケース専用ダンパー、４０  仕切り板右、４４  スライド室、５０  光照射手段  ５１  除菌・脱臭手段、５２  風路、１００  冷蔵庫本体。
【図１】
2006046844.tif 000003
【図２】
2006046844.tif 000004
【図３】
2006046844.tif 000005
【図４】
2006046844.tif 000006
【図５】
2006046844.tif 000007
【図６】
2006046844.tif 000008
【図７】
2006046844.tif 000009
【図８】
2006046844.tif 000010